(57)【要約】【課題】新しい構造により、今までにない不規則な音と水の飛翔を発生させ、より魚の興味を引き立てるルアー用プロペラを提供する。【解決手段】本発明のルアー用プロペラＡは回転翼１に回転軸穴３を持ち、回転翼２に回転軸穴４を持っている。回転翼１と回転翼２は谷折り曲げ５によってつながっている構造である。本発明のルアー用プロペラＡは回転軸６と共にルアーに取り付けられ、ルアーを引く事による水の抵抗を回転翼１、回転翼２に受け回転軸穴３、回転軸穴４を中心に回転し、谷折り曲げ５が水をすくい上げ、裏側の山折り曲げ５’が水を切る。この事により不規則な回転音と水の飛翔を発生させる事ができる。【選択図】図２
2015228863.tif 000002
【特許請求の範囲】
【請求項１】
ルアーに取付け、ルアーを引く事で発生する水の抵抗によって回転するプロペラであって、水の抵抗を受ける回転翼を２枚有し、それぞれの回転翼１枚に対し回転軸穴１個を有したプロペラであって、その２枚の回転翼が折り曲げ部分によりつながった構造のルアー用プロペラ。
【発明の詳細な説明】
【技術分野】
【０００１】  本発明は、ルアー用プロペラの形状に関する。
【背景技術】
【０００２】  従来技術のルアー用プロペラＣは、図５に示すように、回転翼１及び回転翼２を有し、山折り曲げ５’で曲げ加工される事で水の抵抗を受け回転方向１０への回転力を得て回転軸穴３を中心に回転する。【０００３】  図６に示すように回転軸穴３に回転軸６を通してルアー本体８に取付け、ラインアイ７に結ばれたラインによりルアーを方向９に引く事のよる水の抵抗を受け従来のルアー用プロペラＣが回転する。従来のルアー用プロペラＣはルアーの前方、ルアーの後方、ルアーの側方を含めあらゆる部位に取り付ける事がある。従来のルアー用プロペラＣが回転する際に上がる水の飛翔や回転音によって魚の興味を引き立てる。【０００４】  また他に図７に示すような従来のルアー用プロペラＤ’等があり、山折り曲げ５’及び谷折り曲げ５で曲げ加工される事により図８の従来のルアー用プロペラＤとなる。従来のルアー用プロペラＤは回転軸６を回転軸穴３及び回転軸穴４に通し回転軸６を中心に回転翼１及び回転翼２に水の抵抗を受ける事で回転する。従来のルアー用プロペラＤが回転する際には水を叩く効果のある部位１２により水の飛翔を上げやすく、より魚の興味を引き立てる効果がある。
【発明の概要】
【発明が解決しようとする課題】
【０００５】  しかしながら、以上の技術によれば、従来のルアー用プロペラＣは、様々な形状のものが開発されて使用されてきているが、水の飛翔を効果的に上げる能力に関しては限定的で、その能力に関しては従来のルアー用プロペラＤ方が優れている。しかしながら従来のルアー用プロペラＤに関しても、水を叩く効果のある部位１２も回転軸６に対して一定な為、プロペラが回転した際の音や水の飛翔も規則的であり、また長年使用され続けている事で魚の慣れにより興味を誘う効果も限定されてきている。また図７及び図８に示すように山折り曲げ５’、谷折り曲げ５と複数箇所曲げ加工をする必要があり、コストが高くなる。そこで今までに無い構造を有することで従来のルアー用プロペラと比較し、不規則な水の飛翔や回転音を発生させ、より魚の興味を誘う効果を提供する事、及びコストを低下させる事を課題とする。
【課題を解決するための手段】
【０００６】  以上の課題を解決するために、第一発明は、ルアー用プロペラの回転軸と回転翼を従来のルアー用プロペラと異なる構造にする。その構造は水の抵抗を受ける２枚の回転翼を持ち、それぞれの回転翼１枚に１個の回転軸穴を持ち、２枚の回転翼を折り曲げ部分により、つながっている構造のルアー用プロペラである。
【発明の効果】
【０００７】  第一発明によれば、水の抵抗を受ける２枚の回転翼を持ち、それぞれの回転翼１枚に１個の回転軸穴を持ち、２枚の回転翼を折り曲げ部分により、つながっている構造のルアー用プロペラにより、２枚の回転翼をつなげている折り曲げ部分により、回転時に水と空気を抱え込み不規則で独特な水の飛翔や回転音を発生させることが出来る。また折り曲げ部分が最小で１カ所となるためコスト削減にも寄与する。
【図面の簡単な説明】
【図１】この発明のルアー用プロペラの展開図である。
【図２】この発明のルアー用プロペラの折り曲げ完成図である。
【図３】この発明の別形態のルアー用プロペラの展開図である。
【図４】この発明の別形態のルアー用プロペラの折り曲げ完成図である。
【図５】従来のルアー用プロペラの展開図である。
【図６】従来のルアー用プロペラをルアーの前後に取り付けた使用形態である。
【図７】従来の別形態のルアー用プロペラの展開図である。
【図８】従来の別形態のルアー用プロペラの折り曲げ完成図である。
【図９】この発明の前方から見たルアー用プロペラの使用形態である。
【図１０】この発明のルアー用プロペラをルアー前方に取り付けた使用形態図である。
【図１１】この発明のルアー用プロペラをルアー後方に取り付けた使用形態図である。
【図１２】この発明のルアー用プロペラをワイヤー型ルアーに取り付けた使用形態図である。
【発明を実施するための形態】
【実施例】
【０００８】  この発明の一実施形態のルアー用プロペラペラを図１、図２、図３、図４に示す。ルアー用プロペラＡ’、ルアー用プロペラＢ’は図１、図３の様に板を切り抜いた状態で２枚の回転翼１と回転翼２があり、その回転翼１枚にそれぞれ回転軸穴３と回転軸穴４がある。ここからプロペラとして機能するように谷折り曲げ５で折り曲げる。図２、図４のルアー用プロペラＡ、ルアー用プロペラＢは折り曲げをしてプロペラとして機能できる状態で、回転軸６が回転軸穴３と回転軸穴４を通っている。【０００９】  図２、図４のルアー用プロペラＡ、ルアー用プロペラＢはこの発明の実施形態で、それぞれの違いは谷折り曲げ５の折り曲げ長さＬと折り曲げ長さＬ’の長さである。谷折り曲げ５は二つの回転翼１と回転翼２をつないでいるだけではなく、ルアー用プロペラＡ、ルアー用プロペラＢが回転した際に水を叩き、または飛翔を上げる役割を担っている。図４のルアー用プロペラＢよりも図２のルアー用プロペラＡの方が谷折り曲げ５の長さＬが長いため、水を叩き飛翔を上げる性能が高く、プロペラ本体の強度面でも優れている。【００１０】  図２のルアー用プロペラＡ、図４のルアー用プロペラＢの材質や厚みは限定されるものではないが、主に金属、樹脂、まれに木などが使用され、好ましい厚みは０．１ミリメートルから５ミリメートル程度である。【００１１】  図２のルアー用プロペラＡ、図４のルアー用プロペラＢの谷折り曲げ５の角度は限定されるものではないが、５度から１４０度程度まで可能であり、より好ましい角度は２０度から９０度程度である。【００１２】  図２のルアー用プロペラＡ、図４のルアー用プロペラＢの谷折り曲げ５の折り曲げ長さＬ、折り曲げ長さＬ’は限定されるものではないが、折り曲げ長さＬは長い方がプロペラの強度が高く、水を叩き飛翔を上げる効果も高い。【００１３】  図１０のルアー用プロペラＡをルアー本体８に取り付けしたものを前方から見た図が図９である。図９、図１０を使ってルアー用プロペラＡの回転する仕組みを説明する。図１０に示すようにルアー本体８の前方にルアー用プロペラＡを回転軸６をもつラインアイ７が回転軸穴３、回転軸穴４を通って取り付けられている。ルアー本体８はラインアイ７に結ばれた釣り糸を引くことで進行方向９へ移動する。図９に示すように前記進行方向９に移動する際ルアー用プロペラＡは水の抵抗を受ける。図９の回転翼１は水を受け上側に水の抵抗を逃がしながら回転軸６を中心に回転方向１０へ回転する。同じく回転翼２は水を受け下側に水の抵抗を逃がしながら回転軸６を中心に回転方向１０へ回転する。その際図９の谷折り曲げ５は水をすくい上げ、山折り曲げ５’は水を切る作用をする。この事からこの発明のルアー用プロペラＡは回転する際、回転軸６を中心に両側の谷折り曲げ５と山折り曲げ５’で水に対する作用が違うため、交互に不規則な回転音を発生させることが出来る。【００１４】  この発明のルアー用プロペラＡが取り付けられる部位は限定されるものではなく、図１１に示すようにルアー本体８後方でもかまわない。またルアー本体８の側面等どこでも取り付け可能である。【００１５】  この発明のルアー用プロペラＡが取り付けられるルアー本体８の形状は限��されるものではなく、いかなる形状のルアーに取り付け可能である。図１２に示すようにバズベイトと呼ばれるようなワイヤーを使用したルアー１１でも取り付け可能である。
【符号の説明】１回転翼
２回転翼
３回転軸穴
４回転軸穴
５谷折り曲げ
５’山折り曲げ
６回転軸
７ラインアイ
８ルアー本体
９進行方向
１０回転方向
１１ワイヤーを使用したルアー
１２水を叩く効果のある部位
Ａ本発明のルアー用プロペラ
Ａ’本発明のルアー用プロペラ展開図
Ｂ本発明のルアー用プロペラ
Ｂ’本発明のルアー用プロペラ展開図
Ｃ従来技術のルアー用プロペラ
Ｄ従来技術のルアー用プロペラ
Ｄ’従来技術のルアー用プロペラ展開図
Ｌ折り曲げ長さ
Ｌ’折り曲げ長さ
【図１】
2015228863.tif 000003
【図２】
2015228863.tif 000004
【図３】
2015228863.tif 000005
【図４】
2015228863.tif 000006
【図５】
2015228863.tif 000007
【図６】
2015228863.tif 000008
【図７】
2015228863.tif 000009
【図８】
2015228863.tif 000010
【図９】
2015228863.tif 000011
【図１０】
2015228863.tif 000012
【図１１】
2015228863.tif 000013
【図１２】
2015228863.tif 000014